(57)【要約】【課題】放送信号記録再生装置において、視聴又は録画しようとしている番組毎に画質パラメータを設定し、画質をユーザの好みに合わせて自動的に調整できるようにする。【解決手段】ユーザは、録画予約メニュー画面で録画予約の設定行う際に、リモコン操作部を操作することにより、録画予約メニュー画面３０を表示させ、録画日、録画時間、チャンネル、及び再生時画質パラメータを設定する。ユーザは、棒グラフ３３を参照しながら各画質パラメータのレベルを設定することができ、設定された各画質パラメータは、ＮＶＲＡＭに一時的に蓄積され、予約に基いて録画を開始する際に、画像・音声信号と共にハードディスク又は光ディスクに記録される。設定された各画質パラメータは、録画した番組を再生するときに画像・音声信号処理回路に出力され、これに基いてモニタ装置に出力される画像信号がユーザ好みに変更される。【選択図】図２
2006222773.tif 000002
【特許請求の範囲】
【請求項１】
放送信号を受信するチューナと、このチューナによって受信された放送信号を記録媒体に記録し再生する記録装置と、前記チューナによって受信された放送信号、若しくは前記記録媒体から再生された再生信号を復号する復号手段と、この復号手段によって復号された信号から画像信号及び音声信号を分離して出力する画像・音声信号処理手段と、上記各部を制御する制御手段と、前記制御手段に各種の指令を入力するための指令入力手段を備えた放送信号記録再生装置において、
前記制御手段は、
放送信号に含まれる電子番組情報を取得して出力する機能を有しておらず、
前記指令入力手段から録画予約の設定を受ける際に、録画日時、録画時間、録画チャネルの情報と共に、番組を再生する際の画面の輝度、コントラスト、彩度及び色合いに関する画質パラメータを前記指令入力手段を介してユーザに入力させ、その入力された画質パラメータを前記記録媒体に記録させ、
前記記録媒体に録画予約によって記録された番組を再生する際には、該記録媒体に記憶されている画質パラメータに基づいて、出力する画像信号を変更するように、前記画像・音声信号処理手段を制御する機能を有することを特徴とする放送信号記録再生装置。
【請求項２】
放送信号を受信するチューナと、このチューナによって受信された放送信号を記録媒体に記録し再生する記録再生手段と、前記チューナによって受信された放送信号、若しくは前記記録再生手段によって再生された再生信号から画像信号及び音声信号を分離して出力する画像・音声信号処理手段と、上記各部を制御する制御手段と、この制御手段の動作プログラムを記憶する記憶手段と、前記制御手段に各種の指令を入力するための指令入力手段を備えた放送信号記録再生装置において、
前記制御手段は、
視聴する曜日毎及び時刻毎に、画面の輝度、コントラスト、彩度及び色合いに関する画質パラメータをユーザに前記指令入力手段を介して入力させ、その入力された画質パラメータを前記記憶手段に記録させ、設定された曜日及び時間になると、前記記憶手段に記憶されている画質パラメータに基づいて、出力する画像信号を変更するように、前記画像・音声信号処理手段を制御する機能を有することを特徴とする放送信号記録再生装置。
【発明の詳細な説明】
【技術分野】
【０００１】
本発明は、放送信号を受信してハードディスクや光ディスクに記録する放送信号記録再生装置に関するものである。
【背景技術】
【０００２】
近年、配信が開始されたデジタル放送においては、画像・音声信号を符号化した放送信号にＥＰＧ（電子番組ガイド情報）のデータを付加して、各局から配信されている。ＥＰＧに対応した放送信号記録再生装置を所有しているユーザは、ＥＰＧを参照することによって、番組の概要を素早く知得することができる。そして、ＥＰＧに対応した放送信号記録再生装置においては、ＥＰＧを利用することによってユーザが視聴又は録画しようとしている番組名等のデータを取得できるため、例えば、画面の輝度、コントラスト、彩度、色合い等の画質パラメータを番組名と関連付けて記憶しておくことができれば、番組毎にユーザの好みに合わせて画質パラメータを自動的に変更することも可能となり便利である。
【０００３】
しかしながら、放送信号記録再生装置の中には、コストダウンを図るために、放送信号の中からＥＰＧを取得してモニタ装置に出力する機能が省かれた機種もある。このような、ＥＰＧに対応していない放送信号記録再生装置においては、ＥＰＧを参照して画質パラメータを変更できないので不便である。特に、家族内の趣味や嗜好の異なる複数のユーザ間で放送信号記録再生装置及びモニタ装置を共有する場合にあっては、各ユーザが自分の録画した番組を視聴しようとするたびに、モニタ装置の画質パラメータを好みのものに調整しなければならないことがあり、使い勝手が悪い。
【０００４】
なお、特許文献１には、低消費電力化を目的として時刻又は季節に応じて複数のプログラムを記憶したテレビジョン受像機が示されている。また、特許文献２には、画面の輝度レベル等を時間帯に応じて設定可能としたテレビジョン受像機が示されている。しかしながら、いずれの特許文献に示されているテレビジョン受像機をモニタ装置として用いても、番組内容等とは無関係に画質パラメータが一律に変更されるため、ユーザが録画された番組を視聴する際、自分の好みに合わせて画質パラメータを再度変更する必要があり、使い勝手の悪さは解消されない。また、テレビジョン受像機は、通常、家族全員すなわち多数のユーザによって共有されている場合が多い。このような事情を有するテレビジョン受像機においては、画質パラメータはできるだけ標準状態に設定されているのが望ましく、自動的に変更されるべきできない。特に、ＡＶ機器の操作に不慣れな老人や子供にとっては、画質パラメータが自動的に変更された事実を把握することすら容易ではなく、画質パラメータを標準状態に復帰させることは極めて困難である。
【特許文献１】特開２０００−１１５６４９号公報
【特許文献２】実開平５−２４８３号公報
【発明の開示】
【発明が解決しようとする課題】
【０００５】
本発明は、上記課題を解決するためになされたものであり、録画又は視聴しようとしている番組の内容に応じて番組毎に、又は曜日毎及び時間帯毎に画質パラメータを設定し、ＥＰＧを取得する機能を省いても、ユーザ好みの画質に合わせて画質パラメータを自動的に調整できるようにした放送信号記録再生装置を提供することを目的とする。
【課題を解決するための手段】
【０００６】
上記目的を達成するために請求項１の発明は、放送信号を受信するチューナと、このチューナによって受信された放送信号を記録媒体に記録し再生する記録装置と、チューナによって受信された放送信号、若しくは記録媒体から再生された再生信号を復号する復号手段と、この復号手段によって復号された信号から画像信号及び音声信号を分離して出力する画像・音声信号処理手段と、上記各部を制御する制御手段と、制御手段に各種の指令を入力するための指令入力手段を備えた放送信号記録再生装置において、制御手段は、放送信号に含まれる電子番組情報を取得して出力する機能を有しておらず、指令入力手段から録画予約の設定を受ける際に、録画日時、録画時間、録画チャネルの情報と共に、番組を再生する際の画面の輝度、コントラスト、彩度及び色合いに関する画質パラメータを指令入力手段を介してユーザに入力させ、その入力された画質パラメータを記録媒体に記録させ、記録媒体に録画予約によって記録された番組を再生する際には、該記録媒体に記憶されている画質パラメータに基づいて、出力する画像信号を変更するように、画像・音声信号処理手段を制御する機能を有するものである。
【０００７】
請求項２の発明は、放送信号を受信するチューナと、このチューナによって受信された放送信号を記録媒体に記録し再生する記録再生手段と、チューナによって受信された放送信号、若しくは記録再生手段によって再生された再生信号から画像信号及び音声信号を分離して出力する画像・音声信号処理手段と、上記各部を制御する制御手段と、この制御手段の動作プログラムを記憶する記憶手段と、制御手段に各種の指令を入力するための指令入力手段を備えた放送信号記録再生装置において、制御手段は、視聴する曜日毎及び時刻毎に、画面の輝度、コントラスト、彩度及び色合いに関する画質パラメータをユーザに指令入力手段を介して入力させ、その入力された画質パラメータを記憶手段に記録させ、設定された曜日及び時間になると、記憶手段に記憶されている画質パラメータに基づいて、出力する画像信号を変更するように、画像・音声信号処理手段を制御する機能を有するものである。
【発明の効果】
【０００８】
請求項１の発明によれば、制御手段は、録画予約の設定を受ける際に、ユーザに画質パラメータを入力させ、記録媒体にこれを記録させる。その後、録画された番組を再生する際には、制御手段は、画像・音声信号処理手段に画質パラメータに基づいて出力する画像信号を変更させる。これにより、電子番組情報を取得して参照する機能を省いても、録画された番組毎にユーザの好みに合わせて画質パラメータを自動的に変更することができ、放送信号記録再生装置の製造コストを削減しつつ、使い勝手を高めることができる。
【０００９】
請求項２の発明によれば、制御手段は、視聴する曜日毎及び時刻毎に、ユーザに画質パラメータを入力させ、記憶手段にこれを記憶させる。その後、設定された曜日及び時間になると、制御手段は、画像・音声信号処理手段に画質パラメータに基づいて出力する画像信号を変更させる。これにより、設定された曜日及び時間帯毎にユーザの好みに合わせて画質パラメータを自動的に変更することができ、放送信号記録再生装置の使い勝手を高めることができる。
【発明を実施するための最良の形態】
【００１０】
本発明を実施するための最良の実施形態による放送信号記録再生装置について図面を参照して説明する。図１は放送信号記録再生装置の概略構成を示している。放送信号記録再生装置１は、放送信号を受信するチューナ２と、チューナ２によって受信された放送信号をハードディスク（記録媒体）に記録し再生するハードディスク装置（記録装置）３と、チューナ２によって受信された放送信号をＤＶＤ（Digital Versatile Disc）等の光ディスク（記録媒体）に記録し再生する光ディスク装置（記録装置）４と、チューナ２によって受信された放送信号復号するＭＰＥＧ（Moving Picture Experts Groupe）デコーダ（復号手段）５と、ＭＰＥＧデコーダ５によって復号された信号から画像信号及び音声信号を分離してモニタ装置２０に出力する画像・音声信号処理回路６と、各部を制御する制御部（制御手段）７と、制御部７の動作プログラム等を記憶するＮＶＲＡＭ（Non Volatile RAM：記憶手段）８と、ユーザによって操作され、制御部７に各種の指令信号を入力するために、所定の赤外線を出力するリモコン操作部（指令入力手段）９と、リモコン操作部９から出力された指令信号を受光し、それを電気信号に変換して制御部７に転送するリモコン受光部１０等を備えている。
【００１１】
放送局からは、ＭＰＥＧ規格に準拠して符号化された放送信号が配信され、チューナ２によって受信される。チューナ２によって受信された放送信号は、ＭＰＥＧデコーダ５によって復号され、画像・音声信号処理回路６によって処理された後、モニタ装置２０に出力される。また、チューナ２によって受信された放送信号は、ハードディスク装置３に内蔵されているハードディスク、又は光ディスク装置４に装填された光ディスクのいずれかに記録することもできる。さらに、ハードディスクに記録されている放送信号は、光ディスクにダビングすることも可能である。
【００１２】
デジタル放送では、放送信号の中にＥＰＧに関するデータが含まれている。ＥＰＧに対応する放送信号記録再生装置では、制御部が放送信号に含まれているＥＰＧに関するデータを取得して、これをＮＶＲＡＭに記憶させる。ユーザは、必要に応じてＥＰＧを参照しながら、視聴したい番組を選択したり、録画する番組を選択したりする。本実施の形態においては、装置のコストダウンを図るため、上述した制御部がＥＰＧを取得等する機能は省かれている。
【００１３】
画像・音声信号処理回路６には、画像を液晶ディスプレイ等のモニタ装置２０に出力するためのコンポーネント映像出力端子１１が設けられおり、これに対応する映像出力ケーブル１５で放送信号記録再生装置１と、モニタ装置２０が接続される。モニタ装置２０から出力される画像の画質は、モニタ装置２０の画質パラメータを調整することによってユーザの好みに応じて変更することができるが、本実施の形態では、画像・音声信号処理回路６が画像信号を処理する際に参照する画質パラメータを調整することによっても、同等の効果を得ることができる。画像・音声信号処理回路６が参照する画質パラメータは、後述するように、ＮＶＲＡＭ８、ハードディスク又は光ディスクに記憶されており、制御部７を介して画像・音声信号処理回路６に入力される。画像・音声信号処理回路６の画質パラメータを調整した場合には、ユーザの好みに応じて変更された画像信号が映像出力ケーブル１５を介して、モニタ装置２０に入力される。従って、この場合には、放送信号記録再生装置１よりも多数のユーザによって利用される可能性の高いモニタ装置２０の画質パラメータの設定を標準状態のままにしておくことができる。
【００１４】
このように、モニタ装置２０の画質パラメータを調整することなく、放送信号記録再生装置１からモニタ装置２０に入力される画像信号のデータに変更を加えることによって、モニタ装置２０の出力画像をユーザの好みに合わせることができれば便利であるが、ユーザが録画した番組を視聴する度に放送信号記録再生装置１に好みの画像パラメータを設定するのは煩雑である。そこで、例えば、番組の種別毎に好みの画像パラメータをユーザに予め設定させてこれらを関連付けてメモリに記憶させておき、ＥＰＧデータを取得してそれと照合することにより、モニタ装置に入力される画像信号のデータに変更する手法が考えられる。しかしながら、本実施の形態の放送信号記録再生装置１においては、コストダウン等の要請からＥＰＧを取得等する機能を有していないため、このような手法を適用することができない。そこで、放送信号記録再生装置１では、録画予約を行う際に、又は特定の時間帯に番組を視聴する前に、ユーザが録画された番組毎、又は日付毎、及び時間帯毎に再生時の画質パラメータを予め設定できるように構成されている。
【００１５】
図２は、ユーザが録画予約を行う際に、モニタ装置２０に出力させる録画予約メニュー画面を示している。この録画予約メニュー画面３０はリモコン操作部９に設けられている所定のキーを押下することによってモニタ装置２０に表示される。ユーザは、録画予約メニュー画面３０においてリモコン操作部９を操作することにより、録画日、録画時間、チャンネル、及び必要に応じて再生時画質パラメータを設定することができる。再生時画質パラメータとは、録画予約によってハードディスク又は光ディスクに記録された番組を再生する際に、画像・音声信号処理回路６が参照する画質パラメータであり、より具体的には、輝度、コントラスト、彩度及び色合い等のパラメータである。同図では、ユーザが再生時画質パラメータを設定する旨のカーソル３１を選択し、各パラメータが所望のレベルに調整された状態を示している。カーソル３１及び設定したいパラメータの棒グラフ３３は、例えばリモコン操作部９に設けられている矢印キー等を操作することにより選択することができ、さらに矢印キー等を操作することにより各パラメータを所望のレベルに設定できる。再生時画質パラメータを設定する必要がない場合には、設定しない旨のカーソル３２を選択すればよい。この録画予約メニュー画面３０において、ユーザによって設定されたデータはＮＶＲＡＭ８に一時的に蓄積される。そして、予約に基いて録画を開始する際、又は終了する際に、各画質パラメータを示すデータがハードディスク又は光ディスクに記録され、再生時に画像・音声信号処理回路６に出力される。なお、各画質パラメータが記録された光ディスクが放送信号記録再生装置１以外の他の放送信号記録再生装置に装填された場合であっても正常に再生できるように、各画質パラメータを示すデータは、他の放送信号記録再生装置による再生に支障がない形式で光ディスクに記録される。
【００１６】
図３は、ユーザが特定の番組を視聴する前に、再生時画質パラメータを予め設定しておく画質設定画面を示している。この画質設定画面４０はリモコン操作部９に設けられている所定のキーを押下することによってモニタ装置２０に表示される。ユーザは、画質設定画面４０を表示させて上記と同様の要領でリモコン操作部９を操作することにより、特定の曜日毎及び時間帯毎に画質パラメータを設定することができる。例えば、平日の深夜においては、輝度を抑えるように設定することができる。この画質設定画面４０において、ユーザによって設定されたデータはＮＶＲＡＭ８に蓄積され、該当する時間に画像・音声信号処理回路６に出力される。
【００１７】
以上のように、本実施形態の放送信号記録再生装置１によれば、制御部７は、録画予約の設定を受ける際に、ユーザに画質パラメータを入力させ、ハードディスク又は光ディスクにこれを記録させる。記録された番組を再生する際には、制御部７は、画像・音声信号処理回路６に画質パラメータに基づいて出力する画像信号を変更させる。これにより、ＥＰＧを取得し参照する機能を省いても、録画された番組毎に画質パラメータをユーザの好みに合わせて自動的に変更することができ、放送信号記録再生装置１の製造コストを削減しつつ、使い勝手を高めることができる。また、制御部７は、視聴する曜日及び時刻毎に、ユーザに画質パラメータを入力させ、ＮＶＲＡＭ８にこれを記憶させる。設定された時間になると、制御部７は、画像・音声信号処理回路６に画質パラメータに基づいて出力する画像信号を変更させる。これにより、画質パラメータを曜日毎又は時間帯毎にユーザの好みに合わせて自動的に変更することができ、放送信号記録再生装置１の使い勝手を高めることができる。
【００１８】
なお、本発明は上記実施形態の構成に限られることなく種々の変形が可能であり、例えば、ユーザが設定可能なパラメータは、上述した画質パラメータに限られることなく、音量や音質に関する音声パラメータであってもよい。また、アナログ放送に対応させるために、チューナ２が受信したアナログの放送信号を符号化するＭＰＥＧエンコーダを内蔵してもよい。また、放送信号を記録する記録媒体は、ハードディスクや光ディスクに限られることなく、例えば、ビデオカセットであってもよい。
【図面の簡単な説明】
【００１９】
【図１】本発明の一実施形態による放送信号記録再生装置の電気的構成を示すブロック図。
【図２】ユーザが録画予約を行う際に参照する録画予約メニュー画面を示す図。
【図３】ユーザが曜日毎及び時間帯毎に再生時画質パラメータを設定する際に参照する画質設定画面を示す図。
【符号の説明】
【００２０】
１    放送信号記録再生装置
２    チューナ
３    ハードディスク装置（記録装置）
４    光ディスク装置（記録装置）
５    ＭＰＥＧデコーダ（復号手段）
６    画像・音声信号処理回路（画像・音声信号処理手段）
７    制御部（制御手段）
８    ＮＶＲＡＭ（記憶手段）
９    リモコン操作部（指令入力手段）
【図１】
2006222773.tif 000003
【図２】
2006222773.tif 000004
【図３】
2006222773.tif 000005